【手続補正書】
【提出日】平成18年7月11日(2006.7.11)
【手続補正１】
【補正対象書類名】明細書
【補正対象項目名】特許請求の範囲
【補正方法】変更
【補正の内容】
【特許請求の範囲】
【請求項１】  仮想中心線の両側に表裏２面の見出しとなるキャラクタ列が印刷され前記仮想中心線に沿った折曲げ貼付により見出し山を形成可能な見出し山用ラベルを作成するラベル作成方法であって、
前記表裏２面のうちの表面に印刷される見出しを構成する表側キャラクタ列を入力して編集する表側キャラクタ列入力工程と、
前記表側キャラクタ列をコピーして、前記表裏２面のうちの裏面に印刷される見出しを構成する裏側キャラクタ列の原稿とする裏側キャラクタ列原稿作成工程と、
前記原稿として作成された裏側キャラクタ列を編集する裏側キャラクタ列編集工程と、
前記表側キャラクタ列および編集された前記裏側キャラクタ列を並べて、前記見出し山用ラベルを作成可能なように印刷対象物に印刷する印刷工程と、を備えたことを特徴とするラベル作成方法。
【請求項２】  前記表側キャラクタ列および前記裏側キャラクタ列は、それぞれを各行とする合計２行の構成の文書の各行として扱われ、
前記表側キャラクタ列は、それを構成する全キャラクタ入力後の改行指示により確定入力されることを特徴とする、請求項１に記載のラベル作成方法。
【請求項３】  前記表側キャラクタ列の行および前記裏側キャラクタ列の行のそれぞれを、前記文書の各行として表示する表示工程をさらに備えたことを特徴とする、請求項２に記載のラベル作成方法。
【請求項４】  前記裏側キャラクタ列原稿作成工程は、
前記表側キャラクタ列のコピーの実行指示を確認するコピー実行確認工程と、
前記コピーの実行指示が確認されたときに、前記表側キャラクタ列のコピーを実行するコピー実行工程と、を有することを特徴とする、請求項１ないし３のいずれかに記載のラベル作成方法。
【請求項５】  仮想中心線の両側に表裏２面の見出しとなるキャラクタ列が印刷され前記仮想中心線に沿った折曲げ貼付により見出し山を形成可能な見出し山用ラベルを作成するラベル作成装置であって、
前記表裏２面のうちの表面に印刷される見出しを構成する表側キャラクタ列を入力して編集する表側キャラクタ列入力手段と、
前記表側キャラクタ列をコピーして、前記表裏２面のうちの裏面に印刷される見出しを構成する裏側キャラクタ列の原稿とする裏側キャラクタ列原稿作成手段と、
前記原稿として作成された裏側キャラクタ列を編集する裏側キャラクタ列編集手段と、
前記表側キャラクタ列および編集された前記裏側キャラクタ列を並べて、前記見出し山用ラベルを作成可能なように印刷対象物に印刷する印刷手段と、を備えたことを特徴とするラベル作成装置。
【請求項６】  前記表側キャラクタ列および前記裏側キャラクタ列は、それぞれを各行とする合計２行の構成の文書の各行として扱われ、
前記表側キャラクタ列は、それを構成する全キャラクタ入力後の改行指示により確定入力されることを特徴とする、請求項５に記載のラベル作成装置。
【請求項７】  前記表側キャラクタ列の行および前記裏側キャラクタ列の行のそれぞれを、前記文書の各行として表示する表示手段をさらに備えたことを特徴とする、請求項６に記載のラベル作成装置。
【請求項８】  前記裏側キャラクタ列原稿作成手段は、
前記表側キャラクタ列のコピーの実行指示を確認するコピー実行確認手段と、
前記コピーの実行指示が確認されたときに、前記表側キャラクタ列のコピーを実行するコピー実行手段と、
を有することを特徴とする、請求項５ないし７のいずれかに記載のラベル作成装置。
【手続補正２】
【補正対象書類名】明細書
【補正対象項目名】０００５
【補正方法】変更
【補正の内容】
【０００５】
【課題を解決するための手段】
本発明のラベル作成方法は、仮想中心線の両側に表裏２面の見出しとなるキャラクタ列が印刷され前記仮想中心線に沿った折曲げ貼付により見出し山を形成可能な見出し山用ラベルを作成するラベル作成方法であって、前記表裏２面のうちの表面に印刷される見出しを構成する表側キャラクタ列を入力して編集する表側キャラクタ列入力工程と、前記表側キャラクタ列をコピーして、前記表裏２面のうちの裏面に印刷される見出しを構成する裏側キャラクタ列の原稿とする裏側キャラクタ列原稿作成工程と、前記原稿として作成された裏側キャラクタ列を編集する裏側キャラクタ列編集工程と、前記表側キャラクタ列および編集された前記裏側キャラクタ列を並べて、前記見出し山用ラベルを作成可能なように印刷対象物に印刷する印刷工程と、を備えたことを特徴とする。
【手続補正３】
【補正対象書類名】明細書
【補正対象項目名】０００６
【補正方法】変更
【補正の内容】
【０００６】
また、本発明のラベル作成装置は、仮想中心線の両側に表裏２面の見出しとなるキャラクタ列が印刷され前記仮想中心線に沿った折曲げ貼付により見出し山を形成可能な見出し山用ラベルを作成するラベル作成装置であって、前記表裏２面のうちの表面に印刷される見出しを構成する表側キャラクタ列を入力して編集する表側キャラクタ列入力手段と、前記表側キャラクタ列をコピーして、前記表裏２面のうちの裏面に印刷される見出しを構成する裏側キャラクタ列の原稿とする裏側キャラクタ列原稿作成手段と、前記原稿として作成された裏側キャラクタ列を編集する裏側キャラクタ列編集手段と、前記表側キャラクタ列および編集された前記裏側キャラクタ列を並べて、前記見出し山用ラベルを作成可能なように印刷対象物に印刷する印刷手段と、を備えたことを特徴とする。
【手続補正４】
【補正対象書類名】明細書
【補正対象項目名】０００８
【補正方法】変更
【補正の内容】
【０００８】
また、上記のラベル作成方法において、前記表側キャラクタ列および前記裏側キャラクタ列は、それぞれを各行とする合計２行の構成の文書の各行として扱われ、前記表側キャラクタ列は、それを構成する全キャラクタ入力後の改行指示により確定入力されることが好ましい。
【手続補正５】
【補正対象書類名】明細書
【補正対象項目名】０００９
【補正方法】変更
【補正の内容】
【０００９】
また、上記のラベル作成装置において、前記表側キャラクタ列および前記裏側キャラクタ列は、それぞれを各行とする合計２行の構成の文書の各行として扱われ、前記表側キャラクタ列は、それを構成する全キャラクタ入力後の改行指示により確定入力されることが好ましい。
【手続補正６】
【補正対象書類名】明細書
【補正対象項目名】００１１
【補正方法】変更
【補正の内容】
【００１１】
また、上記のラベル作成方法において、前記表側キャラクタ列の行および前記裏側キャラクタ列の行のそれぞれを、前記文書の各行として表示する表示工程をさらに備えたことが好ましい。
【手続補正７】
【補正対象書類名】明細書
【補正対象項目名】００１２
【補正方法】変更
【補正の内容】
【００１２】
また、上記のラベル作成装置において、前記表側キャラクタ列の行および前記裏側キャラクタ列の行のそれぞれを、前記文書の各行として表示する表示手段をさらに備えたことが好ましい。
【手続補正８】
【補正対象書類名】明細書
【補正対象項目名】００１４
【補正方法】変更
【補正の内容】
【００１４】
また、上記のラベル作成方法において、前記裏側キャラクタ列原稿作成工程は、前記改行指示をトリガとして処理を開始することが好ましい。
【手続補正９】
【補正対象書類名】明細書
【補正対象項目名】００１５
【補正方法】変更
【補正の内容】
【００１５】
また、上記のラベル作成装置において、前記裏側キャラクタ列原稿作成手段は、前記改行指示をトリガとして処理を開始することが好ましい。
【手続補正１０】
【補正対象書類名】明細書
【補正対象項目名】００１７
【補正方法】変更
【補正の内容】
【００１７】
また、上記のラベル作成方法において、前記裏側キャラクタ列原稿作成工程は、前記表側キャラクタ列を自動コピーして前記裏側キャラクタ列の原稿とする自動コピー工程を有することが好ましい。
【手続補正１１】
【補正対象書類名】明細書
【補正対象項目名】００１８
【補正方法】変更
【補正の内容】
【００１８】
また、上記のラベル作成装置において、前記裏側キャラクタ列原稿作成手段は、前記表側キャラクタ列を自動コピーして前記裏側キャラクタ列の原稿とする自動コピー手段を有することが好ましい。
【手続補正１２】
【補正対象書類名】明細書
【補正対象項目名】００２０
【補正方法】変更
【補正の内容】
【００２０】
また、上記のラベル作成方法において、前記自動コピーされた表側キャラクタ列は、仮確定の裏側キャラクタ列原稿として扱われ、前記裏側キャラクタ列編集工程は、前記仮確定の裏側キャラクタ列原稿を確定させる裏側キャラクタ列原稿確定工程を有することが好ましい。
【手続補正１３】
【補正対象書類名】明細書
【補正対象項目名】００２１
【補正方法】変更
【補正の内容】
【００２１】
また、上記のラベル作成装置において、前記自動コピーされた表側キャラクタ列は、仮確定の裏側キャラクタ列原稿として扱われ、前記裏側キャラクタ列編集手段は、前記仮確定の裏側キャラクタ列原稿を確定させる裏側キャラクタ列原稿確定手段を有することが好ましい。
【手続補正１４】
【補正対象書類名】明細書
【補正対象項目名】００２３
【補正方法】変更
【補正の内容】
【００２３】
また、上記のラベル作成方法において、前記裏側キャラクタ列編集工程は、前記仮確定の状態における消去指示により前記裏側キャラクタ列原稿を消去可能な仮確定裏側キャラクタ列消去工程を有することが好ましい。
【手続補正１５】
【補正対象書類名】明細書
【補正対象項目名】００２４
【補正方法】変更
【補正の内容】
【００２４】
また、上記のラベル作成装置において、前記裏側キャラクタ列編集手段は、前記仮確定の状態における消去指示により前記裏側キャラクタ列原稿を消去可能な仮確定裏側キャラクタ列消去手段を有することが好ましい。
【手続補正１６】
【補正対象書類名】明細書
【補正対象項目名】００２６
【補正方法】変更
【補正の内容】
【００２６】
また、上記のラベル作成方法において、前記仮確定の状態における消去指示は、確定状態における１文字削除指示と同一の操作により指示されることが好ましい。
【手続補正１７】
【補正対象書類名】明細書
【補正対象項目名】００２７
【補正方法】変更
【補正の内容】
【００２７】
また、上記のラベル作成装置において、前記仮確定の状態における消去指示は、確定状態における１文字削除指示と同一の操作により指示されることが好ましい。
【手続補正１８】
【補正対象書類名】明細書
【補正対象項目名】００２９
【補正方法】変更
【補正の内容】
【００２９】
また、上記のラベル作成方法において、前記裏側キャラクタ列原稿作成工程は、前記表側キャラクタ列のコピーの実行の有無を確認するコピー実行確認工程と、前記コピーの実行が確認されたときに、前記表側キャラクタ列のコピーを実行するコピー実行工程と、を有することが好ましい。
【手続補正１９】
【補正対象書類名】明細書
【補正対象項目名】００３０
【補正方法】変更
【補正の内容】
【００３０】
また、上記のラベル作成装置において、前記裏側キャラクタ列原稿作成手段は、前記表側キャラクタ列のコピーの実行の有無を確認するコピー実行確認手段と、前記コピーの実行が確認されたときに、前記表側キャラクタ列のコピーを実行するコピー実行手段と、を有することが好ましい。
【手続補正２０】
【補正対象書類名】明細書
【補正対象項目名】００３２
【補正方法】変更
【補正の内容】
【００３２】
また、上記のラベル作成方法において、前記裏側キャラクタ列原稿作成工程は、前記表側キャラクタ列のコピーの実行を否認することにより、前記コピーの実行を中止可能なコピー実行中止工程をさらに有することが好ましい。
【手続補正２１】
【補正対象書類名】明細書
【補正対象項目名】００３３
【補正方法】変更
【補正の内容】
【００３３】
また、上記のラベル作成装置において、前記裏側キャラクタ列原稿作成手段は、前記表側キャラクタ列のコピーの実行を否認することにより、前記コピーの実行を中止可能なコピー実行中止手段をさらに有することが好ましい。
【手続補正２２】
【補正対象書類名】明細書
【補正対象項目名】００３５
【補正方法】変更
【補正の内容】
【００３５】
また、上記のラベル作成方法において、前記裏側キャラクタ列原稿作成工程は、前記表側キャラクタ列のコピーの実行を指示可能なコピー実行指示工程と、前記コピーの実行が指示されたときに、前記表側キャラクタ列のコピーを実行するコピー実行工程と、を有することが好ましい。
【手続補正２３】
【補正対象書類名】明細書
【補正対象項目名】００３６
【補正方法】変更
【補正の内容】
【００３６】
また、上記のラベル作成装置において、前記裏側キャラクタ列原稿作成手段は、前記表側キャラクタ列のコピーの実行を指示可能なコピー実行指示手段と、前記コピーの実行が指示されたときに、前記表側キャラクタ列のコピーを実行するコピー実行手段と、を有することが好ましい。
【手続補正２４】
【補正対象書類名】明細書
【補正対象項目名】００３８
【補正方法】変更
【補正の内容】
【００３８】
また、上記のラベル作成方法において、前記裏側キャラクタ列原稿作成工程は、前記表側キャラクタ列のコピーを実行しないで、空白を前記裏側キャラクタ列の原稿とする空白原稿作成工程を有することが好ましい。
【手続補正２５】
【補正対象書類名】明細書
【補正対象項目名】００３９
【補正方法】変更
【補正の内容】
【００３９】
また、上記のラベル作成装置において、前記裏側キャラクタ列原稿作成手段は、前記表側キャラクタ列のコピーを実行しないで、空白を前記裏側キャラクタ列の原稿とする空白原稿作成手段を有することが好ましい。
【手続補正２６】
【補正対象書類名】図面
【補正対象項目名】図３
【補正方法】変更
【補正の内容】
【図３】
2003080618.tif 000001